(57)【要約】      （修正有）【課題】  横方向からの圧縮力を受けたときに主吸収領域が、縒れや皺を生じることなく身体の排泄部に対向でき、前記圧縮力が緩和されたときに元の形状に復元しやすい吸収性物品を得る。【解決手段】  吸収性物品に設けられている吸収体２０は、主吸収領域４５と、補強領域４１，４２，４３，４４と、緩衝領域４６，４７，４８，４９を有している。曲げ剛性は、補強領域＞緩衝領域で、且つ主吸収領域＞緩衝領域である。大腿部から横方向の圧縮力を受けると、左右に位置する補強領域４１，４２が湾曲変形し、左右の緩衝領域４６，４７が圧縮する。よって、主吸収領域４５は変形しにくく、主吸収領域４５が変形しくい状態で身体の排泄部に密着できる。【選択図】図７
2006346303.tif 000002
【特許請求の範囲】
【請求項１】
吸収体と、吸収体の肌側表面を覆う透液性の表面シートと、吸収体の着衣側表面を覆う裏面シートとを有して、股間部に装着される吸収性物品において、
縦方向中心線上に位置する主吸収領域と、前記主吸収領域の左右両側に位置する緩衝領域と、前記緩衝領域の左右両外側に位置して縦方向に延びる側部補強領域とを有し、横方向への曲げ剛性が、側部補強領域＞緩衝領域で、且つ主吸収領域＞緩衝領域であることを特徴とする吸収性物品。
【請求項２】
主吸収領域の前後に位置する緩衝領域と、この緩衝領域の前後の外側に位置して左右の側部補強領域を繋ぐ前方補強領域および後方補強領域を有し、横方向の曲げ剛性が、前方補強領域＞緩衝領域で、後方補強領域＞緩衝領域である請求項１記載の吸収性物品。
【請求項３】
前記吸収体に、前記主吸収領域と緩衝領域および側部補強領域が形成されている請求項１記載の吸収性物品。
【請求項４】
前記吸収体に、前記主吸収領域、緩衝領域、側部補強領域、前方補強領域および後方補強領域が設けられている請求項２記載の吸収性物品。
【請求項５】
前記側部補強領域では、前記吸収体を形成する吸収シートが折り曲げられている請求項３または４記載の吸収性物品。
【請求項６】
吸収体は、吸収シートと吸収コアとが重ねられて構成され、前記吸収シートの両側部が折り曲げられて側部補強領域が形成され、前記吸収コアを有する部分が前記主吸収領域とされている請求項３または４記載の吸収性物品。
【請求項７】
側部補強領域では、折り曲げられた吸収シートどうしが接着剤で固定されている請求項５または６記載の吸収性物品。
【請求項８】
吸収体の目付けは、側部補強領域が緩衝領域よりも大きく、且つ主吸収領域が緩衝領域よりも大きい請求項３ないし７のいずれかに記載の吸収性物品。
【請求項９】
吸収体が厚み方向へ圧縮されている請求項８記載の吸収性物品。
【請求項１０】
主吸収領域では、前記吸収体の上に上部吸収コアが重ねられている請求項３ないし９のいずれかに記載の吸収性物品。
【請求項１１】
前方補強領域と後方補強領域では、複数の吸収シートが接着剤を介して固定されている請求項２または４記載の吸収性物品。
【請求項１２】
前記側部補強領域では、吸収体が、熱可塑性樹脂を含む補強シートで補強されている請求項３ないし１１のいずれかに記載の吸収性物品。
【請求項１３】
主吸収領域の後方では、左右両側の側部補強領域の間に、中間補強領域が設けられ、側部補強領域と中間補強領域の間に緩衝領域が設けられている請求項１ないし１２のいずれかに記載の吸収性物品。
【請求項１４】
前記側部補強領域は、後方部分に非連続部を有しており、横方向の曲げ剛性は、側部補強領域＞非連続部である請求項１ないし１３のいずれかに記載の吸収性物品。
【請求項１５】
前記吸収体と前記裏面シートとが接着剤を介して固定されており、前記接着剤の単位面積当たりの塗工量は、側部補強領域が緩衝領域よりも多く、且つ主吸収領域が緩衝領域よりも多い請求項１ないし１４のいずれかに記載の吸収性物品。
【発明の詳細な説明】
【技術分野】
【０００１】
本発明は、経血を吸収する生理用ナプキンや、おりものを吸収するパンティライナー、または尿吸収パッドなどとして使用され、股間部に装着される吸収性物品に関する。
【背景技術】
【０００２】
女性の股間部に装着される吸収性物品は、経血を吸収する生理用ナプキン、おりものを吸収するパンティライナー、または尿吸収パッドなどとして使用される。
【０００３】
この種の吸収性物品が女性の股間部に装着されると、左右の大腿部から吸収性物品を横方向へ圧縮させる力が作用する。この力により吸収性物品は、縦方向中心線から折れ曲がったり、あるいは中央部が身体に向けて凸形状に変形し、あるいは中央部が身体から離れるように凹状に変形しやすくなる。さらには、吸収性物品が大腿部によって左右から挟まれることで、吸収体の幅寸法が縮められ、この圧縮力が吸収体の前方および後方にも及んで、吸収体全体の幅が細くなることもある。吸収性物品がこのように変形すると、吸収体と身体の排泄部との間に隙間が形成されやすく、経血や尿などが吸収性物品の横方向や後方へ漏れるおそれがある。
【０００４】
また、吸収性物品を下着に装着した状態で、所定時間使用後に下着と共に外した際も、凸状や凹状に変形したままとなり、あるいは幅寸法が狭くなったままとなって、吸収体が元の形状に復元できず、使用者に経血や尿が吸収性物品から漏れているのではないか、との不安を与えやすい。
【０００５】
例えば、特許文献１に記載のように、吸収体を凹状に圧縮した圧縮線が形成され、この圧縮線で中央の吸収領域が囲まれた吸収性物品が知られている。この吸収性物品は、股間部に装着されているときに、大腿部からの圧力が圧縮線に集中して作用し、圧縮線で囲まれた中央の吸収領域が身体に向かって凸状に変形して身体に当接しやすくなり、圧縮力が解除されたときには、圧縮線が弾性復元機能を発揮して吸収領域が広がる状態に復元することを期待するものである。しかし、排泄液が吸収されると圧縮線の圧縮力が弱まって弾性機能が低下しやすいため、大腿部からの圧縮力が解除された後に、中央領域が広がるように復元できず、幅寸法が狭くなったままの状態を維持しやすい。その結果、使用中は吸収性物品で広く身体を覆うことができず、経血などの漏れが生じやすくなり、使用後は幅寸法が狭くなっているため、使用者に、経血などが漏れているのではという不安を与えやすい。
【０００６】
以下の特許文献２に記載の生理用ナプキンは、前端部と後端部に、横方向に延びる安定化部材が設けられている。この安定化部材は、横方向へ弾性力を発揮できるものであり、生理用ナプキンが左右から圧縮力を受けたときに、前端部と後端部に位置する安定化部材が圧縮力に対して抵抗力を発揮できるというものである。
【０００７】
しかしながら、前記生理用ナプキンは、前端部と後端部において、横方向からの圧縮力に対して抵抗力を発揮できるが、生理用ナプキンの前後の中間部分は横方向からの圧縮力に対して抵抗力を発揮できず、生理用ナプキンを着用しているときに、前記中間部分において吸収体が横方向へ大きく収縮させられることを避けることができない。
【特許文献１】特開平１１−３３０５４号公報
【特許文献２】特許第３４５５２３２号公報
【発明の開示】
【発明が解決しようとする課題】
【０００８】
本発明は、上記従来の課題を解決するものであり、股間部に着用されて大腿部で挟まれ、横方向からの圧縮力を受けたときに、その圧縮力が中央に位置する主吸収領域になるべく影響を与えないようにして、主吸収領域と身体の排泄部との密着を維持しやすくし、また大腿部からの圧力が緩和されたときには、元の幅寸法に復元しやすい吸収性物品を提供することを目的としている。
【課題を解決するための手段】
【０００９】
本発明は、吸収体と、吸収体の肌側表面を覆う透液性の表面シートと、吸収体の着衣側表面を覆う裏面シートとを有して、股間部に装着される吸収性物品において、
縦方向中心線上に位置する主吸収領域と、前記主吸収領域の左右両側に位置する緩衝領域と、前記緩衝領域の左右両外側に位置して縦方向に延びる側部補強領域とを有し、横方向への曲げ剛性が、側部補強領域＞緩衝領域で、且つ主吸収領域＞緩衝領域であることを特徴とするものである。
【００１０】
本発明の吸収性物品は、股間部に装着された状態で、大腿部から横方向の圧縮力を受けると、左右両側に位置する側部補強領域が弾性力を発揮して縦方向中心線に向けて湾曲するような変形を生じやすくなる。この側部補強領域の変形により、その内側に位置する軟質な緩衝領域が圧縮変形するが、主吸収領域は緩衝領域よりも剛性が高いため、緩衝領域が圧縮しても、この圧縮力が主吸収領域に伝達されにくくなる。そのため、主吸収領域の極端な圧縮変形を抑制でき、主吸収領域は比較的広い面積を確保した状態で、身体の排泄部に密着しやすくなる。
【００１１】
本発明は、好ましくは、主吸収領域の前後に位置する緩衝領域と、この緩衝領域の前後の外側に位置して左右の側部補強領域を繋ぐ前方補強領域および後方補強領域を有し、横方向の曲げ剛性が、前方補強領域＞緩衝領域で、後方補強領域＞緩衝領域である。
【００１２】
前方補強領域と後方補強領域とが設けられていると、左右両側に位置する側部補強領域が、前後において前方補強領域と後方補強領域とで支えられるようになり、大腿部からの圧縮力を受けたときに、側部補強領域は、縦方向の中間部分が縦方向中心線に向かって凸状に湾曲変形しやすくなる。その結果、主吸収領域の両側の緩衝領域が圧縮変形して、吸収体全体の幅寸法が縮められるような変形が生じにくくなる。さらに大腿部からの圧縮力が緩和されたときに、吸収性物品は、元の形状に戻りやすくなる。
【００１３】
本発明は、前記吸収体に、前記主吸収領域と緩衝領域および側部補強領域が形成されているものである。また、前記吸収体に、前記主吸収領域、緩衝領域、側部補強領域、前方補強領域および後方補強領域が設けられているものである。
【００１４】
本発明は、例えば、前記側部補強領域で、前記吸収体を形成する吸収シートが折り曲げられているものである。
【００１５】
あるいは、本発明は、吸収体は、吸収シートと吸収コアとが重ねられて構成され、前記吸収シートの両側部が折り曲げられて側部補強領域が形成され、前記吸収コアを有する部分が前記主吸収領域とされているものである。
【００１６】
また本発明は、側部補強領域では、折り曲げられた吸収シートどうしが接着剤で固定されているものであってもよい。
【００１７】
さらに本発明は、吸収体の目付けは、側部補強領域が緩衝領域よりも大きく、且つ主吸収領域が緩衝領域よりも大きいものとして構成できる。この場合に、吸収体が厚み方向へ圧縮されていると、主吸収領域、緩衝領域および側部補強領域との間の曲げ剛性の差を大きくしやすくなる。
【００１８】
また本発明は、主吸収領域では、前記吸収体の上に上部吸収コアが重ねられているものが好ましい。
【００１９】
主吸収領域において、吸収体に上部吸収コアが重ねられていると、主吸収領域の肌側表面を凸状に形成でき、主吸収領域が身体の排泄部に密着しやすくなる。また主吸収領域が変形しにくくなる。
【００２０】
例えば、本発明は、前方補強領域と後方補強領域では、複数の吸収シートが接着剤を介して固定されているものである。
【００２１】
本発明では、前記側部補強領域では、吸収体が、熱可塑性樹脂を含む補強シートで補強されていることが好ましい。
【００２２】
前記補強シートが設けられていると、側部補強領域が液を吸収した状態で、側部補強領域の曲げ剛性が極端に低下するのを防止できる。
【００２３】
また、本発明は、主吸収領域の後方では、左右両側の側部補強領域の間に、中間補強領域が設けられ、側部補強領域と中間補強領域の間に緩衝領域が設けられているものとすることができる。
【００２４】
吸収性物品の後方部分に、中間補強領域が設けられていると、縦方向の中央部分に作用する圧縮力が後方部分に伝達されても、後方部分が幅方向に圧縮されにくくなる。また、側部補強領域と緩衝領域および中間補強領域が順番に配置されることにより、吸収性物品の後方部分が、臀部の膨らみ形状に沿って変形しやすくなる。
【００２５】
さらに本発明は、前記側部補強領域は、後方部分に非連続部を有しており、横方向の曲げ剛性は、側部補強領域＞非連続部とすることが可能である。
【００２６】
前記非連続部が設けられていると、大腿部からの圧縮力によって、吸収性物品の前方部分が圧縮変形したときに、その変形力が後方部分に伝達するのを抑制でき、吸収性物品の後方部分が広がった状態で身体に密着した状態を維持しやすくなる。
【００２７】
また、本発明は、前記吸収体と前記裏面シートとが接着剤を介して固定されており、前記接着剤の単位面積当たりの塗工量は、側部補強領域が緩衝領域よりも多く、且つ主吸収領域が緩衝領域よりも多いものであってもよい。
【００２８】
前記構成では、側部補強領域と主吸収領域において、繊維で構成される吸収体と裏面シートの密着度が高まるため、両領域の曲げ剛性を、緩衝領域よりも高く設定しやすくなる。
【発明の効果】
【００２９】
本発明の吸収性物品は、股間部に装着され大腿部から圧縮力を受けたときに、主吸収領域が、幅寸法が縮まるように変形しにくくなり、主吸収領域が身体の排泄部に密着しやすくなる。また大腿部からの圧縮力が緩和されると、吸収性物品が元の幅寸法に戻りやすくなる。
【発明を実施するための最良の形態】
【００３０】
本発明の吸収性物品は、生理用ナプキン、パンティライナ−、尿吸収パッドなどとして、女性の股間部に装着されるものであるが、以下の実施の形態では、主に経血を吸収するための生理用ナプキンを例として説明する。
【００３１】
図１は本発明の第１の実施の形態の生理用ナプキン１を肌側表面から見た平面図、図２は、図１に示す生理用ナプキン１をＩＩ−ＩＩ線で切断し且つ表面シートと側部シートを一部除去した断面斜視図、図３は生理用ナプキン１に設けられている吸収体を示す平面図、図４は吸収体の構成を説明するためのものであり、図３のＩＶ−ＩＶ線の断面図、図５は、生理用ナプキン１の吸収体と裏面シートとを接着する接着剤層の塗工量を説明する裏面シートの平面図、図６は図５のＶＩ−ＶＩ線断面に相当するものであり、吸収体と裏面シートとの接着状態を示した断面図である。
【００３２】
以下においては、生理用ナプキン１を構成する各要素の２つの表面のうち、身体に向く表面を「肌側表面」と呼び、反対側の表面を「着衣側表面」と呼ぶ。また、生理用ナプキンの長手方向を「縦方向」と呼び、前記縦方向と直交する方向を「横方向」と呼ぶ。各要素の寸法は、特に明記しない限り、縦方向に測定した寸法を「長さ寸法」とし、前記横方向に測定した寸法を「幅寸法」と呼ぶ。
【００３３】
図１に示すように、生理用ナプキン１は、曲線形状の前縁部２と同じく曲線形状の後縁部３を有している。生理用ナプキン１は、縦方向中心線Ｏｙでの長さ寸法が１５０〜４５０ｍｍ程度の縦長形状である。生理用ナプキン１の両側部の形状は、前方において、左右両側に突出した前方フラップ部４，４と、前記前方フラップ部４，４よりも後方において左右両側に突出した折り返しフラップ部５，５と、前記折り返しフラップ部５，５よりもさらに後方において、左右両側に突出した後方フラップ部６，６とを有している。
【００３４】
生理用ナプキン１は、吸収体２０を有している。図１および図３に示すように、吸収体２０は、前方へ向けて突曲線形状の前端部２０ａと、後方へ向けて突曲線形状の後端部２０ｂと、縦方向中心線Ｏｙと平行に直線状に延びる右側端部２０ｃおよび左側端部２０ｄを有している。吸収体２０の前端部２０ａは、生理用ナプキン１の前縁部２よりも内側に位置し、吸収体２０の後端部２０ｂは、生理用ナプキン３の後縁部３よりも内側に位置している。
【００３５】
図２に示すように、吸収体２０の肌側表面には、上部吸収コア３０が設置されており、吸収体２０および上部吸収コア３０の肌側表面には、液透過性の表面シート１１が重ねられている。吸収体２０の両側部の肌側表面には側部シート１２，１２が重ねられている。側部シート１２は液透過性であるが、表面シート１１よりも液の透過率の低い素材で形成されている。吸収体２０の着衣側表面には、液透過性の裏面シート１３が重ねられている。
【００３６】
吸収体２０の前端部２０ａと生理用ナプキン１の前縁部２との間では、表面シート１１と裏面シート１３とがホットメルト型接着剤で接着されており、吸収体２０の後端部２０ｂと生理用ナプキン１の後縁部３との間では、表面シート１１と裏面シート１３とがホットメルト型接着剤で接着され、さらに前縁部２と後縁部３のそれぞれから内側へ所定の幅寸法の範囲で、表面シート１１と裏面シート１３とが熱シールされている。吸収体２０の右側端部２０ｃよりも外側および左側端部２０ｄよりも外側では、側部シート１２と裏面シート１３とがホットメルト型接着剤で接着されて、前記前方フラップ部４，４、折り返しフラップ部５，５および後方フラップ部６，６が形成されている。また、前記前方フラップ部４，４、折り返しフラップ部５，５および後方フラップ部６，６の周縁部では、側部シート１２と裏面シート１３とが熱シールされている。
【００３７】
図２に示すように、吸収体２０の肌側表面の両側部には表面シート１１が重ねられ、さらにその肌側表面に側部シート１２が重ねられている。側部シート１２，１２の対向縁部１２ａ，１２ａは、縦方向中心線Ｏｙと平行で、縦方向中心線Ｏｙから左右に等距離離れた位置にある。対向縁部１２ａと対向縁部１２ａとで挟まれた領域では、表面シート１１と吸収体２０とが肌側から圧縮されて圧縮部１４が形成されている。圧縮部１４は、加熱下で表面シート１１と吸収体２０とを部分的に加圧して、表面シート１１と吸収体２０とを、物理的にあるいは融着により固定しているものである。圧縮部１４は上部吸収コア３０を囲むように間欠的に形成されており、圧縮部１４で囲まれた領域では、表面シート１１が上部吸収コア３０と共に肌側に向けて突出している。
【００３８】
図２に示すように、裏面シート１３の着衣側表面では、縦方向中心線Ｏｙの左右両側において縦方向に帯状に延びる感圧接着剤層１５，１５が設けられている。この感圧接着剤層１５，１５は、生理用ナプキン１の着衣側表面を下着のクロッチ部の内面に固定する固定手段として機能している。また、折り返しフラップ部５，５においても、裏面シート１３の着衣側表面にフラップ部感圧接着剤層１６，１６が設けられている。生理用ナプキン１を使用する前の梱包状態では、前記感圧接着剤層１５，１５およびフラップ部感圧接着剤層１６，１６が離型シートで覆われて保護されている。
【００３９】
図４に示すように、吸収体２０は、下部吸収シート２１と上部吸収シート２２、および下部吸収シート２１と上部吸収シート２２との間に挟まれた下部吸収コア２３を有している。
【００４０】
下部吸収シート２１と上部吸収シート２２は、親水性素材で形成されて液を吸収して保持する機能を有するもの、あるいは液を透過させあるいは拡散する機能を発揮できるように繊維間に空隙を有するものである。例えば、下部吸収シート２１と上部吸収シート２２が、パルプ繊維と、熱可塑性の合成樹脂繊維と、高吸収性樹脂（ＳＡＰ）およびアクリル系などのバインダーを含むエアーレイド不織布で形成されている。エアーレイド不織布は、パルプ繊維と合成樹脂繊維をエアーレイド法で積層して繊維ウエッブを形成し、前記繊維ウエッブに高吸収性樹脂とバインダーを含ませ、加圧ローラ間で加圧し、前記バインダーで繊維間を接着させたものである。あるいは、バインダーを含ませず、加熱されたローラ間で加圧し、熱可塑性の合成樹脂繊維の表面を溶融させて繊維間を溶着接合したものであってもよい。熱可塑性の合成樹脂繊維は、ポリエチレン（ＰＥ）樹脂繊維、ポリプロピレン（ＰＰ）樹脂繊維、ポリエチレンテレフタレート（ＰＥＴ）繊維、あるいは芯部がＰＰ樹脂またはＰＥＴ樹脂で、鞘部がＰＥ樹脂の芯鞘型複合合成繊維などである。
【００４１】
この実施の形態では、下部吸収シート２１と上部吸収シート２２は、繊維の質量に対して、パルプ繊維が３０〜９０質量％、合成樹脂繊維が１０〜７０質量％含まれ、さらに前述の高吸収性樹脂とアクリル系バインダーが含まれた、目付けが１００〜５００ｇ／ｍ２で、密度が０．０３〜０．２ｇ／ｃｍ３のエアーレイド不織布が使用される。
【００４２】
下部吸収シート２１および上部吸収シート２２を構成する他の素材としては、レーヨン繊維などの再生セルロース繊維、アセテートなどの半合成セルロース繊維、熱可塑性の合成樹脂繊維、親水油剤が塗布された熱可塑性の合成樹脂繊維などで形成された不織布が使用可能であり、サーマルボンディング法で形成されたスルーエアー不織布やポイントボンド不織布、ウォータジェット法やニードルパンチ法で形成されたスパンレース不織布など種々のものを使用することが可能である。さらに、目付けの大きい親水紙や、レーヨン紙、またはこれら紙を重ねたもの、あるいは、パルプ繊維を圧縮したシートパルプなどを使用することもできる。
【００４３】
下部吸収シート２１と上部吸収シート２２として、合成樹脂繊維を含んだものを使用すると、液を吸収した状態でもシートの剛性が劣化せず、側部補強領域などの曲げ剛性を高く維持できる。
【００４４】
図４に示すように、下部吸収シート２１は、右側縁部２１ａが内側に向くように折り曲げられて幅寸法Ｗ１の折り返し部が形成されているとともに、左側縁部２１ｂが内側に折り曲げられて幅寸法Ｗ１の折り返し部が形成されている。それぞれの折り返し部では、対面する下部吸収シート２１どうしが接着剤２４で接着固定されている。上部吸収シート２２も同様に、右側縁部２２ａが内側に向くように折り畳まれて、幅寸法Ｗ１の折り返し部が形成され、左側縁部２２ｂが内側に向くように折り畳まれて、幅寸法Ｗ１の折り返し部が形成されている。それぞれの折り返し部では、対面する上部吸収シート２２どうしが接着剤２５で接着されている。さらに、下部吸収シート２１の折り返し部と、上部吸収シート２２の折り返し部とが、幅寸法Ｗ１の範囲で接着剤２６で接着固定されている。
【００４５】
接着剤２４，２５および２６は、ホットメルト型の感圧接着剤層である。例えば、スチレン−イソプレン−スチレンのブロック共重合体（ＳＩＳ）、スチレン−ブタジエン−スチレンのブロック共重合体（ＳＢＳ）、スチレン−エチレン・ブタジエン−スチレンのブロック共重合体（ＳＥＢＳ）、スチレン−エチレン・プロピレン−スチレンのブロック共重合体（ＳＥＰＳ）などと、可塑剤と粘着付与剤とで形成される。感圧接着剤は単位面積当たり多くの塗工量で塗工できるため、接着剤２４，２５，２６で接着した部分の剛性を高めることができる。
【００４６】
図３に示すように、下部吸収シート２１および上部吸収シート２２の折り返し部は、縦方向に均一な幅寸法Ｗ１で縦方向の全長に向けて延びており、吸収体２０は、右側の折り返し部が形成されている部分が右側部補強領域４１となり、左側の折り返し部が形成されている部分が左側部補強領域４２となっている。前記幅寸法Ｗ１は、３〜１５ｍｍ程度である。
【００４７】
吸収体２０の前部には前方補強領域４３が形成されている。前方補強領域４３は、吸収体２０の前端部２０ａと境界部４３ａとの間に形成されている。吸収体の後部には後方補強領域４４が形成されている。後方補強領域４４は、吸収体２０の後端部２０ｂと境界部４４ａとの間に形成されている。
【００４８】
前方補強領域４３と後方補強領域４４は、下部吸収シート２１と上部吸収シート２２の少なくとも一方の繊維の目付けを部分的に大きくすることによっても形成可能であるが、この実施の形態では、前方補強領域４３と後方補強領域４４が、下部吸収シート２１と上部吸収シート２２とを、前記接着剤２４，２５，２６と同じホットメルト型の感圧接着剤で互いに接着固定することによって形成されている。
【００４９】
前方補強領域４３と後方補強領域４４では、下部吸収シート２１と上部吸収シート２２とが、２０〜６０ｇ／ｍ２の範囲で多めに塗工された感圧接着剤により全面的に接着固定されている。前方補強領域４３の境界部４３ａと、吸収体２０の前端部２０ａとの縦方向の距離は、１０〜５０ｍｍの範囲であることが好ましく、後方補強領域４４の境界部４４ａと、吸収体２０の後端部２０ｂとの縦方向の距離も、１０〜５０ｍｍの範囲が好ましい。
【００５０】
図３には下部吸収コア２３の右縁部２３ａと左縁部２３ｂとを破線で示している。下部吸収コア２３の幅寸法は、所定の長さの範囲で同じであり、その前方において右縁部２３ａと左縁部２３ｂが徐々に接近しており、後方においても右縁部２３ａと左縁部２３ｂが徐々に接近している。
【００５１】
下部吸収コア２３は、パルプ繊維の積層体が親水性のティッシュペーパで包まれたもの、あるいはパルプ繊維と高吸収性樹脂との積層体が親水性のティッシュペーパで包まれたものである。下部吸収シート２１と上部吸収シート２２との間に下部吸収コア２３が挟まれた状態で、下部吸収シート２１、下部吸収コア２３よび上部吸収シート２２が一緒に加熱下で加圧されて圧縮されている。この圧縮工程により、図３に示すように多数のエンボス部２７が形成されている。個々のエンボス部２７は小円形や正方形などであり、縦方向と横方向に例えば５〜１５ｍｍの間隔を空けて配列している。また、前記エンボス部２７に加え、あるいはエンボス部２７を形成する代わりに、下部吸収シート２１と下部吸収コア２３とをホットメルト型接着剤で接着し、下部吸収コア２３と上部吸収シート２２を、液の透過を妨げない範囲で塗工されたホットメルト型接着剤で接着してもよい。
【００５２】
下部吸収コア２３は、目付けが１００〜３００ｇ／ｍ２程度であり、前記エンボス加工により密度が０．０５〜０．２ｇ／ｃｍ３の範囲で、厚みが０．５〜５ｍｍの範囲で形成されることが好ましい。吸収体２０は、下部吸収シート２１と下部吸収コア２３および上部吸収シート２２が積層された領域（前記右縁部２３ａと左縁部２３ｂとで囲まれた領域）が主吸収領域４５である。なお、前記上部吸収コア３０は平面形状が下部吸収コア２３と同じで且つ同じ寸法であり、主吸収領域４５において、上部吸収コア３０が下部吸収コア２３の真上に重ねられている。
【００５３】
吸収体２０における主吸収領域４５の幅寸法は、２０〜５０ｍｍであり、長さ寸法は８０〜１６０ｍｍ程度である。生理用ナプキン１は、主吸収領域４５が女性の排泄部である膣口に対向し、また縦方向の長さ寸法が大きいものでは、主吸収領域４５が、膣口から肛門付近、さらにはその後方の臀裂部に対向する。
【００５４】
図１と図３に示すように、この実施の形態では、主吸収領域４５は、生理用ナプキン１の横方向基準線Ｘを中心として前後の同じ距離の範囲に形成されている。横方向基準線Ｘは、折り返しフラップ部５を前後に二分する仮想線である。生理用ナプキン１を着用するときには、折り返しフラップ部５の形状と圧縮部１４のパターンを目安とし、前記横方向基準線Ｘと縦方向中心線Ｏｙの交点付近が膣口の中心と一致するようにして装着される。
【００５５】
図３に示すように、主吸収領域４５と右側部補強領域４１との間が、右側緩衝領域４６で、主吸収領域４５と左側部補強領域４２との間が、左側緩衝領域４７である。主吸収領域４５と境界部４３ａとの間が前側緩衝領域４８であり、主吸収領域４５と境界部４４ａとの間が後側緩衝領域４９である。図３に示すように、右側緩衝領域４６、左側緩衝領域４７、前側緩衝領域４８および後側緩衝領域４９では、下部吸収シート２１と上部吸収シート２２の少なくとも一方に、部分的な低密度部５０が形成されている。この低密度部５０は、下部吸収シート２１や上部吸収シート２２を、表面に凹凸を有するギヤ形状のロール間に挟み、シートに縦および横方向への部分的な張力を与えることにより形成される。あるいは低密度部５０の代わりに、下部吸収シート２１と上部吸収シート２２の少なくとも一方に切込線を形成してもよい。低密度部５０や切込線は、短い直線形状やクロス線形状などのパターンで形成されるが、図３に示すように、縦方向に向けて間隔を空けて配置されていることが好ましい。
【００５６】
以下では、右側部補強領域４１と左側部補強領域４２を総称して「側部補強領域」と呼び、前方補強領域４３と後方補強領域４４を総称して「前後補強領域」と呼び、右側緩衝領域４６、左側緩衝領域４７、前側緩衝領域４８および後側緩衝領域４９を総称して「緩衝領域」と呼ぶことがある。
【００５７】
吸収体２０は、横方向への曲げ剛性が、緩衝領域において最も低く、右側緩衝領域４６、左側緩衝領域４７、前側緩衝領域４８および後側緩衝領域４９では、前記曲げ剛性がほぼ等しい。前記曲げ剛性は、側部補強領域＞緩衝領域、前後補強領域＞緩衝領域であり、且つ主吸収領域＞緩衝領域である。好ましくは、曲げ剛性は、側部補強領域＞前後補強領域＞主吸収領域＞緩衝領域、または、側部補強領域＞主吸収領域＞前後補強領域＞緩衝領域である。
【００５８】
前記曲げ剛性は次のように定義される。側部補強領域、前後補強領域、主吸収領域および緩衝領域と同じ構造のもので、且つ横方向の幅寸法と縦方向の長さ寸法がそれぞれ同じとなる試料を作成する。これら試料を片持ち支持して自由端を横方向へ曲げ変形するのに必要な力の大小が前記曲げ剛性の大小に対応する。具体的には、前記試料を幅寸法が２５ｍｍ、長さ寸法が３８ｍｍとなるように製作し、株式会社安田精機製作所製の「ガーレー剛軟度試験機」を使用し、試料の長さ方向の端から６．３ｍｍの位置で試験機に固定し、試料の固定部から２５ｍｍ離れた位置に錘の付いた振り子を通過させ、振り子が試料をはじくのに必要となる力を前記試験機で測定した値である。
【００５９】
側部補強領域の横方向の曲げ剛性は、３．９２ｍＮ（４００ｍｇ）以上であることが好ましく、前後補強領域の横方向の曲げ剛性も３．９２ｍＮ（４００ｍｇ）以上であることが好ましい。これら補強領域での曲げ剛性の上限は、７．８４ｍＮ（８００ｍｇ）程度が好ましい。緩衝領域の曲げ剛性は、３．９２ｍＮ（４００ｍｇ）未満であることが好ましく、さらに好ましくは２．９４ｍＮ（３００ｍｇ）未満である。緩衝領域の曲げ剛性の下限は０．９８ｍＮ（１００ｍｇ）程度である。また、主吸収領域４５と緩衝領域との曲げ剛性の差は１．４７ｍＮ（１５０ｍｇ）以上であることが好ましい。
【００６０】
側部補強領域の曲げ剛性が３．９２ｍＮ（４００ｍｇ）以上であると、股間部に装着された状態で、吸収体２０が大腿部から横向きの圧縮力を受けたときに、右側部補強領域４１と左側部補強領域４２が、縦方向中心線Ｏｙに向けて湾曲変形しやすくなり、また大腿部からの圧力が除去されたときに、吸収体２０が元の形状に復元しやすくなる。主吸収領域４５と緩衝領域との曲げ剛性の差が１．４７ｍＮ（１５０ｍｇ）以上であると、大腿部によって右側部補強領域４１と左側部補強領域４２が、縦方向中心線Ｏｙに向けて湾曲変形させられたときに、右側緩衝領域４６と左側緩衝領域４７が圧縮し、主吸収領域４５に作用する圧力が緩和され、主吸収領域４５が変形しにくくなる。
【００６１】
図２に示す上部吸収コア３０は、前記下部吸収コア２３の真上に位置し、前記緩衝領域とは重ならないように配置されている。上部吸収コア３０は、液の透過を妨げない塗工量で塗工されたホットメルト型接着剤を介して、上部吸収シート２２の上に接着固定されていてもよいし、前述した圧縮部１４で囲まれることにより、動かないように位置決めされているものであってもよい。
【００６２】
上部吸収コア３０は、液を吸収して保持できるパルプ層３１を有している。パルプ層３１は、パルプ繊維と高吸収性樹脂とで構成され、目付けは２００〜４００ｇ／ｍ２程度である。パルプ層３１はカバー層３２で包まれている。カバー層３２は、液を透過可能なものであり、例えば芯部がＰＥＴ樹脂で鞘部がＰＥ樹脂の芯鞘型複合合成繊維で形成された目付けが２０〜５０ｇ／ｍ２程度で、密度が０．０１〜０．０５ｇ／ｃｍ３程度のスルーエアー不織布である。あるいは、カバー層３２が親水性のティッシュペーパであってもよい。
【００６３】
上部吸収コア３０の下面（上部吸収シート２２と対向する面）および左右両側面は、透液制御シート３３で覆われている。透液制御シート３３は、パルプ層３１に与えられた液を吸収体２０に過剰に移行させず、パルプ層３１内に液を保持できるようにし、また、パルプ層３１内の液の量がパルプ層３１の液吸収容量を越えたときに、その液を吸収体２０に与えるように制御している。またパルプ層３１に保持された液が、上部吸収コア３０の両外側へ流出するのを抑制する機能を発揮する。なお、パルプ層３１の肌側表面は、透液制御シート３３で覆われていない。
【００６４】
透液制御シート３３は、多数の液透過孔が形成された樹脂フィルムや、液透過性の不織布を複数枚重ねて構成したもの、あるいは樹脂フィルムと不織布のラミネート材などで形成される。
【００６５】
表面シート１１は、親水性で液透過性であれば、どのようなものであってもよい。例えば表面シート１１は、スルーエアー不織布、スパンボンド不織布、スパンレース不織布、あるいは多数の液透過孔が形成された不織布、多数の液透過孔が形成された樹脂フィルム、または多数の液透過孔が形成された樹脂フィルムと液透過性の不織布とのラミネート材などで形成される。側部シート１２は、多数の液透過孔が形成された樹脂フィルム、液透過孔を有するスパンボンド不織布などで形成される。
【００６６】
裏面シート１３は液遮断性であり、ＰＥ樹脂やＰＰ樹脂で形成された樹脂フィルムで形成される。または微細なフィラーを含み、フィラーの周囲に通気性で液不透過性の小孔が形成された通気性樹脂フィルムであってもよい。
【００６７】
図５は、裏面シート１３のみを示す平面図で、図６は吸収体２０と裏面シート１３とが接着されている状態を示す図５のＶＩ−ＶＩ線の断面に相当する断面図である。
【００６８】
図６に示すように、裏面シート１３と、吸収体２０の下部吸収シート２１は、ホットメルト型の感圧接着剤５５で接着固定されている。実際の接着固定では、下部吸収シート２１の着衣側表面に、接着剤５５が図５に示すパターンで塗工されて、下部吸収シート２１と裏面シート１３とが接着固定される。
【００６９】
接着剤５５の塗工パターンは、密塗工領域５６と粗塗工領域５７とを有している。接着剤５５の塗工密度は、密塗工領域５６が粗塗工領域５７よりも高い。例えば、密塗工領域５６では、接着剤５５が３０〜５０ｇ／ｍ２の塗工量で面状に塗工される。粗塗工領域５７では、接着剤５５がスパイラル状で５〜１５ｇ／ｍ２の塗工量で塗工されている。または、粗塗工領域５７では、接着剤５５が櫛歯状、波状、またはドット状のパターンで塗工される。
【００７０】
粗塗工領域５７は、主に右側緩衝領域４６から後側緩衝領域４９の下に形成され、また左側緩衝領域４７から後側緩衝領域４９の下に形成されている。前記緩衝領域では、下部吸収シート２１と裏面シート１３との接着境界において、下部吸収シート２１を構成する繊維が動きやすい。逆に右側部補強領域４１、左側部補強領域４２、前方補強領域４３、後方補強領域４４および主吸収領域４５では、下部吸収シート２１と裏面シート１３とが全面的に接着されているため繊維が動きにくい。このような構成によっても、緩衝領域の曲げ剛性を低く、主吸収領域４５とそれぞれの補強領域の曲げ剛性を高く設定することができる。
【００７１】
この生理用ナプキン１は、裏面シート１３の着衣側表面に設けられた感圧接着剤層１５を介して下着のクロッチ部の内面に接着固定され、折り返しフラップ部５，５が下着のクロッチ部の両側縁部を挟むようにして折り返され、折り返しフラップ部５，５がフラップ部感圧接着剤層１６によって、下着の外面に接着固定される。
【００７２】
この生理用ナプキン１が下着のクロッチ部に固定されたときの幅寸法は、吸収体２０の幅寸法にほぼ一致し、その幅寸法が５０〜１００ｍｍ程度である。一方、女性の股間部幅、すなわち両側の大腿部の距離の最小値は２０〜４０ｍｍ程度である。したがって、生理用ナプキン１を股間部に装着した状態で体が動くと、生理用ナプキン１に対して左右両側から縦方向中心線Ｏｙに向かう圧縮力が作用する。図７（Ａ）は、前記圧縮力が作用する前の吸収体２０を示し、図７（Ｂ）は前記圧縮力が作用したときの吸収体２０を模式的に示している。
【００７３】
図７（Ｂ）に示すように、大腿部からの圧縮力は、右側部補強領域４１と左側部補強領域４２に作用する。右側部補強領域４１と左側部補強領域４２は、横方向への曲げ剛性が高く、しかも右側部補強領域４１と左側部補強領域４２は、前方において前方補強領域４３で繋がれ、後方においても後方補強領域４４でつながれている。前方補強領域４３と後方補強領域４４は、曲げ剛性が高いため、右側部補強領域４１と左側部補強領域４２の全体が互いに接近するように変形しにくく、右側部補強領域４１と左側部補強領域４２が、縦方向中心線Ｏｙに向けて凸状に湾曲しやすくなる。
【００７４】
吸収体２０は、下部吸収コア２３が設けられている主吸収領域４５において、右側緩衝領域４６および左側緩衝領域４７よりも曲げ剛性が高くなっており、さらに吸収体２０の主吸収領域４５の上に上部吸収コア３０が重ねられてさらに剛性が高くなっている。そのため、右側部補強領域４１と左側部補強領域４２が湾曲したときに、右側緩衝領域４６と左側緩衝領域４７が圧縮変形しやすくなり、主吸収領域４５に作用する圧縮力が緩和されて、主吸収領域４５は圧縮されることなく、また圧縮されてもその幅寸法の減少がわずかでなる。よって、主吸収領域４５は、常に広い面積で膣口に密着しやすくなる。
【００７５】
大腿部からの圧縮力が解除されると、右側部補強領域４１と左側部補強領域４２の弾性復元力によって、吸収体２０が図７（Ａ）に示す元の形状または寸法に戻りやすくなる。特に前方補強領域４３と後方補強領域４４を有しているため、圧縮力が解除されたときに、吸収体２０の全体が幅細となった変形状態を維持することなく、全体の幅寸法が広がるように復元しやすくなる。例えば、生理用ナプキン１を使用している途中で下着を引き下げたときに、吸収体２０が図７（Ａ）に示す状態に復元しやすいため、着用者が、生理用ナプキン１が広がっている状態を目視したときに、横方向などへの経血の漏れが生じていないという安心感を得ることができる。
【００７６】
次に、本発明の他の実施の形態について説明する。
以下の実施の形態において、前記第１の実施の形態の生理用ナプキン１と同じ構成部分には生理用ナプキン１と同じ符号を付して詳しい説明を省略する。
【００７７】
図８（Ａ）（Ｂ）（Ｃ）は、吸収体の側部、すなわち右側部補強領域４１の構成の他の実施の形態を示す部分断面図である。
【００７８】
図８（Ａ）に示す吸収体１２０Ａでは、下部吸収シート２１の折り返し部と、上部吸収シート２２の折り返し部との間に補強シート１２１が挟まれて、両折り返し部と補強シート１２１とがホットメルト型の感圧接着剤層によって接着されている。補強シート１２１は、少なくとも一部に合成樹脂を含む液透過性シートである。合成樹脂を含む液透過性シートで補強シート１２１を形成すると、右側部補強領域４１に経血などが与えられて湿潤状態となっても、右側部補強領域４１の曲げ剛性が低下しにくくなる。補強シート１２１は左側部補強領域４２にも設けられる。また、前方補強領域４３および後方補強領域４４において、下部吸収シート２１と上部吸収シート２２との間に補強シート１２１を挟むことも可能である。
【００７９】
補強シート１２１は、ＰＥ、ＰＰ、ＰＥＴ樹脂で形成された繊維、または前記樹脂の２種で形成された複合合成繊維などで構成された不織布、または多数の液透過孔が形成された不織布である。または、坪量が２０〜３５ｇ／ｍ２程度で厚みが０．５〜１．５ｍｍ程度の樹脂フィルムに多数の液透過孔が形成されたものである。
【００８０】
図８（Ｂ）に示す吸収体１２０Ｂでは、前記補強シート１２１が、下部吸収シート２１の折り返し部の下面と、上部吸収シート２２の折り返し部の上面のそれぞれに重ねられて接着されている。図８（Ｃ）に示す吸収体１２０Ｃでは、補強シート１２１が、下部吸収シート２１の下面と吸収体２０の側縁および上部吸収シート２２の上面を覆うように設けられて、接着されている。図８（Ｃ）に示すように、吸収体２０の側縁が補強シート１２１で覆われていると、この補強シート１２１の液透過性能をやや低下させておくことにより、吸収体２０に吸収されている経血が側方へ漏れ出るのを防止しやすくなる。
【００８１】
図９（Ａ）（Ｂ）は、第２の実施の形態の吸収体２２０Ａの製造工程を示す断面図である。
【００８２】
図９（Ａ）に示すように、吸収体２２０Ａを形成する下部吸収コア２２３は、パルプ繊維と高吸収性樹脂との混合層、またはパルプ繊維とレーヨン繊維と高吸収性樹脂との混合層、あるいはパルプ繊維と合成樹脂繊維と高吸収性樹脂との混合層である。下部吸収コア２２３では、主吸収領域に対応する部分２２３ａと、右側部補強領域に対応する部分２２３ｂ、および左側部補強領域に対応する部分２２３ｃにおいて目付けが高く、緩衝領域に対応する部分２２３ｄ，２２３ｅで目付けが低く構成されている。また下部吸収コア２２３は、親水性で且つ液透過性の被覆シート２２１で包まれている。被覆シート２２１は、スルーエアー不織布のように合成樹脂繊維を含む不織布で構成される。合成樹脂繊維を含む被覆シート２２１を使用すると、吸収体２２０Ａの湿潤時において、全体の曲げ剛性を高めることができる。ただし、被覆シート２２１は、他の不織布や親水性のティッシュペーパで構成されてもよい。
【００８３】
図９（Ａ）に示す下部吸収コア２２３と被覆シート２２１を厚み方向へ圧縮し、さらに主吸収領域４５となる部分において、被覆シート２２１と下部吸収コア２２３とをエンボス部２２７において加圧圧縮して図９（Ｂ）に示す吸収体２２０Ａを形成する。図９（Ｂ）に示す吸収体２２０Ａは、右側部補強領域４１と左側部補強領域４２の曲げ剛性を、右側緩衝領域４６と左側緩衝領域４７の曲げ剛性よりも高くでき、主吸収領域４５の曲げ剛性も緩衝領域４６，４７の曲げ剛性よりも高くできる。
【００８４】
図１０（Ｂ）は吸収体２２０Ｂを示す断面図である。図１０（Ａ）に示す下部吸収コア２２３は、図９（Ａ）に示したものと同じであり、下部吸収コア２２３の下面と上面に被覆シート２２１，２２１が個別に重ねられている。そして、厚み方向へ圧縮することにより、前記吸収体２２０Ｂが形成される。
【００８５】
図１１は、第３の実施の形態の生理用ナプキンに使用される吸収体３２０Ａを示す平面図である。
【００８６】
この吸収体３２０Ａは、図３と図４に示す吸収体２０と同様に、下部吸収シート２１、上部吸収シート２２および下部吸収コア２３とで構成されている。また、下部吸収シート２１の両側部が折り返され、且つ上部吸収シート２２の両側部が折り返されて互いに接着され、右側部補強領域４１と左側部補強領域４２が形成されている。主吸収領域４５には下部吸収コア２３が設けられ、前方補強領域４３と後方補強領域４４では、下部吸収シート２１と上部吸収シート２２とが、感圧接着剤で接着固定されている。
【００８７】
この吸収体３２０Ａでは、主吸収領域４５よりも後方に中間補強領域３４３，３４４が設けられている。中間補強領域３４３は、右側部補強領域４１から内側へ延び、主吸収領域４５とは距離を空けて後方補強領域４４に連続している。他方の中間補強領域３４４は、左側部補強領域４２から内側に延び、主吸収領域４５とは距離を空けて後方補強領域４４に連続している。そして、両中間補強領域３４３，３４４と主吸収領域４５および後方補強領域４４で囲まれている部分が後側緩衝領域３４９である。また、右側部補強領域４１と中間補強領域３４３および後方補強領域４４で囲まれた部分が後方緩衝領域３４６であり、左側部補強領域４２と中間補強領域３４４と後方補強領域４４とで囲まれた部分が後方緩衝領域３４７である。
【００８８】
前記中間補強領域３４３と中間補強領域３４４は、下部吸収シート２１と上部吸収シート２２とを感圧接着剤を介して接着固定することで形成される。または図８（Ａ）（Ｂ）（Ｃ）に示す補強シート１２１を介在させて接着することで形成される。あるいは下部吸収シート２１と上部吸収シート２２の少なくとも一方の目付けを増加させることで形成することも可能である。
【００８９】
前記中間補強領域３４３と３４４を設けることにより、吸収体３２０Ａの後方領域における横方向の曲げ剛性を高めることができる。よって、生理用ナプキンを着用したまま着座姿勢で足組みをし、吸収体３２０Ａに捻り力が作用したような場合にも、吸収性３２０Ａが捻られた状態から元の形状に復元しやすくなる。また吸収体３２０Ａの後方部分では、横方向に、右側部補強領域４１、後方緩衝領域３４６、中間補強領域３４３、後側緩衝領域３４９、中間補強領域３４４、後方緩衝領域３４７、左側部補強領域４２が交互に配置され、すなわち剛性の高い部分と剛性の低い部分が交互に配置されているため、吸収体３２０Ａの後方部分が、臀部の表面の丸みに追従して変形しやすくなる。
【００９０】
しかも、中間補強領域３４３と中間補強領域３４４は、縦方向中心線Ｏｙから左右に距離を開けて配置されており、縦方向中心線Ｏｙ上に、軟質な後側緩衝領域３４９が位置しているため、後側緩衝領域３４９が、肛門の窪みや臀裂部内に入るように変形しやすくなる。
【００９１】
図１２に示す吸収体３２０Ｂは、第３の実施の形態の吸収体３２０Ａの変形例である。
図１２に示す吸収体３２０Ｂは、右側部の前方に右側部補強領域３４１ａが、後方に右側部補強領域３４１ｂが形成され、その間に非連続部３４８が形成されている。吸収体３２０Ｂの左側部には、前方に左側部補強領域３４２ａが、後方に左側部補強領域３４２ｂが形成され、その間に非連続部３４８が形成されている。非連続部３４８は、それぞれの側部補強領域よりも曲げ剛性が低くなっている。そして、中間補強領域３４３が、前方に位置する右側部補強領域３４１ａと後方補強領域４４とを連結するように形成され、中間補強領域３４４が、前方に位置する左側部補強領域３４２ａと後方補強領域４４とを連結するように形成されている。
【００９２】
上記吸収体３２０Ｂは、右側部補強領域と左側部補強領域に非連続部３４８が形成されているが、この非連続部３４８は、横方向基準線Ｘよりも後方に設けられている。そのため、大腿部から前方部分に作用した圧縮力による変形が、非連続部３４８で遮断されて後方へ伝達されにくくなり、吸収体３２０Ｂの後方部分の圧縮変形を抑制できる。したがって、吸収体３２０Ｂの後方部分は、広げられた状態で身体に密着しやすくなる。
なお、本発明は上記各実施の形態に限定されるものではない。
【００９３】
前記各実施の形態では、吸収体に側部補強領域と主吸収領域と緩衝領域を形成しているが、側部補強領域と主吸収領域と緩衝領域を形成しているものが吸収体ではなくてもよい。例えば、下部吸収シート２１と上部吸収シート２２の代わりに、液を保持する機能が低いが、液を拡散させたり透過させることが可能な、低密度の不織布などを使用することができる。
【００９４】
また、生理用ナプキンの裏面シート１３と表面シート１１との間において、主吸収領域４５に液吸収層を設け、この液吸収層から左右に離れた位置に、縦方向に延びる側部補強部材を設けて側部補強領域を形成し、液吸収層の前方へ離れた位置に、側部補強部材どうしをつなぐ前方補強部材を設けて前方補強領域を形成し、液吸収層の後方へ離れた位置に側部補強部材どうしをつなぐ後方補強部材を設けて後方補強領域を形成してもよい。このように、主吸収領域と各補強領域を別体のものとして構成できる。この場合、緩衝領域は裏面シートと表面シートで形成される。あるいは、裏面シートと表面シートとの間に、軟質な不織布などを介在させて緩衝領域を形成してもよい。
前記補強部材は、エアーレイド不織布、厚い不織布、発泡樹脂材料などで形成される。
【実施例】
【００９５】
（実施例）
吸収体によって、主吸収領域、側部補強領域、前方補強領域と後方補強領域および緩衝領域を形成した。
【００９６】
吸収体には、図３と図４に示した下部吸収シートと上部吸収シートを用いた。下部吸収シートと上部吸収シートは、パルプ繊維が６５質量％、合成樹脂繊維３０質量％、アクリル系のバインダーを５質量％含み、目付けが８０ｇ／ｍ２、密度が０．０８ｇ／ｃｍ３のエアーレイド不織布で形成した。上部吸収シートと下部吸収シートの両側部をそれぞれ、幅寸法Ｗ１が５ｍｍとなるように折り畳み、折り畳んだシート内面どうしをアクリル系のホットメルト型の感圧接着剤で接着した。接着剤の塗工量を３０ｇ／ｍ２とした。さらに、図４の実施の形態と同様に、下部吸収シートの折り返し部と上部吸収シートの折り返し部を前記感圧接着剤（塗工量３０ｇ／ｍ２）を用いて接着し側部補強領域を形成した。
【００９７】
前方補強領域と後方補強領域は、下部吸収シートと上部吸収シートの前端から内側へ１０ｍｍの範囲、および後端から内側へ１０ｍｍの範囲で、上部吸収シートと下部吸収シートを前記感圧接着剤（塗工量３０ｇ／ｍ２）を用いて接着して形成した。
【００９８】
下部吸収シートと上部吸収シートの間に吸収コアを挟んで主吸収領域を形成した。吸収コアは、パルプ繊維９０質量％と、高吸収性樹脂１０質量％とを含む目付けが２００ｇ／ｍ２のものであり、温度９５℃で３９２０ｋＰａ（４０ｋｇｆ／ｃｍ２）で１秒間加圧したものを用いた。
【００９９】
主吸収領域と、左右両側の側部補強領域との間に、前記下部吸収シートと上部吸収シートとから成る緩衝領域を形成し、主吸収領域と前方補強領域との間および主吸収領域と後方補強領域との間にも、前記下部吸収シートと上部吸収シートとから成る緩衝領域を形成した。それぞれの緩衝領域では、下部吸収シートと上部吸収シートのそれぞれを、ギヤ形状のロールを用いて部分的に引き伸ばし、低密度部を多数形成した。低密度部は、幅が１ｍｍ、長さが３ｍｍで、縦方向に２ｍｍの間隔を空けてミシン目状に配列したものでこのミシン目が横方向へ３ｍｍの間隔を空けて形成されたものである。
【０１００】
前記下部吸収シートと上部吸収シートおよび前記吸収コアを、裏面シートと表面シートとの間に挟み、前記各素材と裏面シート、および前記各素材と表面シートを、３ｇ／ｍ２で塗工したホットメルト型接着剤で固定した。裏面シートは、坪量２３．５ｇ／ｍ２のポリエチレン樹脂フィルムで形成し、表面シートは、坪量２５ｇ／ｍ２で開口率が２７％となるように多数の液透過孔を形成したポリエチレン樹脂フィルムで形成した。このポリエチレン樹脂フィルムは親水油剤を１質量％含むものを使用した。
【０１０１】
上記側部補強領域と前方補強領域および後方補強領域、さらに前記緩衝領域を形成している吸収体の外形と、主吸収領域の外形は図１と図３に示した実施の形態とほぼ同じであり、吸収体全体の前端から後端までの長さ寸法を２３０ｍｍ、幅寸法を７５ｍｍとした。主吸収領域は、長さ寸法を８０ｍｍ、幅寸法を３５ｍｍとした。生理用ナプキンの全体の寸法は、長さ寸法を２６０ｍｍ、折り返しフラップ部での幅寸法を１５０ｍｍとした。
【０１０２】
横方向への曲げにおけるガーレー剛性値は、側部補強領域が４．９ｍＮ（５００ｍｇｆ）、前方補強領域と後方補強領域が３．１４ｍＮ（３２０ｍｇｆ）、緩衝領域が１．５４ｍＮ（１６２ｍｇｆ）であった。この曲げ剛性値は、各領域と同じ構造の試料を幅寸法２５ｍｍ、長さ寸法３８ｍｍとして、前述のガーレー剛軟度試験機（株式会社安田精機製作所製）で測定した値である。
【０１０３】
（比較例１）
パルプ繊維の積層体で全体が均一な厚みで形成された吸収体を有する従来の生理用ナプキンを使用した。吸収体の両側部を幅寸法２５ｍｍ、長さ寸法３８ｍｍで切断して測定した横方向への曲げ剛性（ガーレー剛性値）は５．１５ｍＮ（５２６ｍｇｆ）であった。
【０１０４】
（比較例２）
パルプ繊維とアクリル系バインダーで形成されたエアーレイド不織布で全体が均一な厚みで形成された吸収体を有する従来の生理用ナプキンを使用した。吸収体の両側部を幅寸法２５ｍｍ、長さ寸法３８ｍｍで切断して測定した横方向への曲げ剛性（ガーレー剛性値）は１．９５ｍＮ（１９９ｍｇｆ）であった。
【０１０５】
（比較例３）
側部補強領域が存在しておらず、前方補強領域と後方補強領域を有する生理用ナプキンを試作した。実施例１の両側部補強領域を除去したものを比較例３とした。
【０１０６】
（試験方法）
実施例および比較例を生理用ショーツのクロッチ部の内面に装着し、アクリル樹脂製の可動下半身ドールに、生理用ショーツを着用させ、両大腿部を、２０ｍ／分の速度での歩行と同じように動かした。１分間動かした後に、実施例と比較例に人工経血を７ミリリットル／分の流量で５ミリリットル与え、さらに３０分間ドールを動かした。
【０１０７】
（試験結果）
実施例は、縒れや皺がほとんど生じず、試験後にほとんど元の形状に復元できた。比較例１は厚い吸収体を使用したため縒れや皺は少ないが、縦方向中心線が表面シート方向に凸となるように変形し、試験後に元の吸収体の形状に復元できなかった。比較例２と比較例３は、試験後に吸収体に縒れと皺が発生し、また吸収体の縦方向の中央部分の幅寸法が狭まったまま復元できなかった。
【０１０８】
なお、人工経血は、グリセリン（和光純薬工業株式会社製）３２０ｇと、カルボキシメチルセルロースのナトリウム塩（和光純薬工業株式会社製）３２ｇと、塩化ナトリウム（和光純薬工業株式会社製）１６ｇと、炭酸水素ナトリウム（和光純薬工業株式会社製）１６ｇと、食用色素製剤（光洋プロダック株式会社製）の赤色１０２号を３１２ｇ、赤色２号を８ｇ、黄色５号を８ｇ、さらにイオン交換水４リットルとで構成されたもので、粘度が２２〜２６ｍＰａ・ｓのものを使用した。
【図面の簡単な説明】
【０１０９】
【図１】第１の実施の形態の吸収性物品である生理用ナプキンを示す平面図、
【図２】図１の生理用ナプキンをＩＩ−ＩＩ線で切断した断面斜視図、
【図３】生理用ナプキンに使用されている吸収体の平面図、
【図４】図３の吸収体をＩＶ−ＩＶ線で切断した断面図、
【図５】前記生理用ナプキンの吸収体と裏面シートとの接着構造を示す平面図、
【図６】吸収体と裏面シートとの接着構造を示す断面図、
【図７】（Ａ）（Ｂ）は、生理用ナプキンの変形特性を示す説明図、
【図８】（Ａ）（Ｂ）（Ｃ）は、第１の実施の形態の生理用ナプキンに用いられている吸収体の他の実施の形態を示す部分断面図、
【図９】（Ａ）（Ｂ）は、第２の実施の形態の吸収体の製造工程を示す断面図、
【図１０】（Ａ）（Ｂ）は、第２の実施の形態の吸収体の変形例の製造工程を示す断面図、
【図１１】本発明の第３の実施の形態の吸収体を示す平面図、
【図１２】本発明の第３の実施の形態の吸収体の変形例を示す平面図、
【符号の説明】
【０１１０】
１  生理用ナプキン
１１  表面シート
１２  側部シート
１３  裏面シート
１４  圧縮部
２０  吸収体
２１  下部吸収シート
２２  上部吸収シート
２３  下部吸収コア
３０  上部吸収コア
４１  右側部補強領域
４２  左側部補強領域
４３  前方補強領域
４４  後方補強領域
４５  主吸収領域
４６  右側緩衝領域
４７  左側緩衝領域
４８  前側緩衝領域
４９  後側緩衝領域
５０  低密度部
５５  感圧接着剤
１２０Ａ，１２０Ｂ，１２０Ｃ  吸収体
１２１  補強シート
２２０Ａ，２２０Ｂ  吸収体
２２３  下部吸収コア
２２１  被覆シート
３２０Ａ，３２０Ｂ  吸収体
３４３，３４４  中間補強領域
【図１】
2006346303.tif 000003
【図２】
2006346303.tif 000004
【図３】
2006346303.tif 000005
【図４】
2006346303.tif 000006
【図５】
2006346303.tif 000007
【図６】
2006346303.tif 000008
【図７】
2006346303.tif 000009
【図８】
2006346303.tif 000010
【図９】
2006346303.tif 000011
【図１０】
2006346303.tif 000012
【図１１】
2006346303.tif 000013
【図１２】
2006346303.tif 000014